(57)【要約】【課題】本発明は、基地局装置、端末装置及びその通信方法に関する。ＭＵＳＴが適用される場合、２５６ＱＡＭを適用するための送信電力が不足する。２５６ＱＡＭを含むＭＣＳテーブルの使用が設定されている環境において、効率的にＭＵＳＴ（Multi-User Superposition Transmission）を適用する。【解決手段】基地局装置は、２５６ＱＡＭが設定されている端末装置に対して、ＭＵＳＴを適用する場合は、２５６ＱＡＭを含まないテーブルに基づいてＭＣＳを設定する。【選択図】図６
2019091964.tif 000002
【特許請求の範囲】
【請求項１】
第１の端末装置に高い送信電力を割り当て、第２の端末装置に低い送信電力を割り当ててＭＵＳＴによる信号多重を行う基地局装置であって、
２５６ＱＡＭを含むＭＣＳインデックスを含む第１のテーブルと２５６ＱＡＭを含まない第２のテーブルを保持し、
ＭＵＳＴを行う場合には、第２の端末装置の下りリンクデータに対して、２５６ＱＡＭを含まないＭＣＳを設定するＭＣＳ設定部と、
設定された前記ＭＣＳインデックスに基づいて生成した第２の端末装置の下りリンクデータと前記第１の端末装置の下りリンクデータを、ＭＵＳＴを用いて生成するＰＤＳＣＨ生成部と、を備える基地局装置。
【請求項２】
前記ＭＣＳ設定部は、ＭＵＳＴを行う場合、第２の端末装置の下りリンクデータに対して、第１のテーブルを構成するＭＣＳインデックスに基づいてＭＣＳを設定する請求項１記載の基地局装置。
【請求項３】
前記ＭＣＳ設定部は、ＭＵＳＴを行う場合、第２の端末装置の下りリンクデータに対して、第２のテーブルを構成するＭＣＳインデックスに基づいてＭＣＳを設定する請求項１記載の基地局装置。
【請求項４】
他の端末装置に高い送信電力を割り当てて信号多重を行った信号、もしくは信号多重が行われていない信号を受信する端末装置であって、
２５６ＱＡＭを含むＭＣＳインデックスを含む第１のテーブルと２５６ＱＡＭを含まない第２のテーブルのいずれかを設定するＲＲＣ設定部と、
ＭＣＳインデックスに基づいて信号に用いられているＭＣＳを判定する制御情報抽出部と、
前記制御情報抽出部で判定したＭＣＳが２５６ＱＡＭであった場合、信号多重が行われていない信号を受信したとして復調処理を行うＰＤＳＣＨ復調部と、を備える端末装置。
【請求項５】
第１の端末装置に高い送信電力を割り当て、第２の端末装置に低い送信電力を割り当ててＭＵＳＴによる信号多重を行う通信方法であって、
ＭＵＳＴを行う場合には、第２の端末装置の下りリンクデータに対して、２５６ＱＡＭを含まないＭＣＳを設定するステップと、
設定された前記ＭＣＳインデックスに基づいて生成した第２の端末装置の下りリンクデータと前記第１の端末装置の下りリンクデータを、ＭＵＳＴを用いて生成するステップと、を備える通信方法。
【発明の詳細な説明】
【技術分野】
【０００１】
本発明は、基地局装置、端末装置及びその通信方法に関する。
【背景技術】
【０００２】
近年のスマートフォンやタブレット端末等の普及により、高速無線伝送の要求が高まっている。標準化団体の１つである３ＧＰＰ（The Third Generation Partnership Project）では、ＬＴＥ（Long Term Evolution）の仕様化を行っている。Ｒｅｌ−１１までのＬ
ＴＥのダウンリンクでは、変調方式として、ＱＰＳＫ（Quadrature Phase Shift Keying
）、１６ＱＡＭ（Quadrature Amplitude Modulation）および６４ＱＡＭがサポートされ
る。ＱＰＳＫでは、１つの変調シンボルで２ビットを送信することが可能である。１６ＱＡＭでは、１つの変調シンボルで４ビットを送信することが可能である。６４ＱＡＭでは、１つの変調シンボルで６ビットを送信することが可能である。つまり、１６ＱＡＭは、ＱＰＳＫよりも周波数利用効率が高い。さらに、６４ＱＡＭは、１６ＱＡＭよりも周波数利用効率が高い。
【０００３】
その一方、１つの変調シンボル中のビット数が多くなるに従い、ビット誤りが発生しやすくなる。ＬＴＥでは、適応変調技術が採用されている。適応変調では、基地局装置（ｅＮＢ、evolved Node B）と端末装置（ＵＥ、User Equipment）との間のチャネル状態によって、適応的に変調方式が選択される。
【０００４】
ＬＴＥでは、変調方式に加えて、誤り訂正符号の符号化率も適応的に変更される。例えば、ＬＴＥでは、基地局装置が送信した参照信号に基づき、端末装置がダウンリンクのチャネル状態を推定する。端末装置は、前記チャネル状態に基づき生成したチャネル品質情報（チャネル品質指標）（ＣＱＩ、Channel Quality Indicator）を基地局装置に通知す
る。このとき、端末装置はＣＱＩテーブルと呼ばれる４ビット（１６値）のＣＱＩからなるテーブルを所有しており、推定したＣＱＩに最も近いＣＱＩテーブルの値に関連付けられたインデックスを基地局装置に通知する。基地局装置は端末装置と同様のＣＱＩテーブルを有しており、通知されたＣＱＩインデックスから対応するＣＱＩを判断する。基地局装置は、判断した前記ＣＱＩを考慮して、変調方式および符号化率（ＭＣＳ，Modulation
and Coding Scheme）を選択する。基地局装置は、選択した前記ＭＣＳを用いて、ダウンリンクの伝送を行う。基地局装置は、ＭＣＳテーブルと呼ばれるテーブルを所有しており、ＭＣＳテーブルに含まれるＭＣＳのいずれかを選択し、選択したＭＣＳのインデックスを端末装置に通知するとともに、通知したＭＣＳを用いて生成されたＰＤＳＣＨ（Physical Downlink Shared CHannel）を用いたデータ伝送を行う。
【０００５】
ＬＴＥにおけるＭＣＳテーブルは、変調方式と符号化率を規定する代わりに、変調方式とＴＢＳ（Transport Block Size）と呼ばれる値を規定している。ＴＢＳと割り当てられた無線リソースから、符号化率が決定される。端末装置は、基地局装置と同様のＭＣＳテーブルを有しており、通知されたＭＣＳインデックスから対応するＭＣＳを判断する。端末装置は、判断したＭＣＳを用いて、ＰＤＳＣＨの復調処理、復号処理を行う。このように、ＬＴＥでは、チャネル状態に応じてＭＣＳが適応的に選択されることにより、高いスループットを実現することができる。
【０００６】
ＬＴＥ  Ｒｅｌ−１２において、１つの変調シンボルで８ビットを送信可能な２５６ＱＡＭが導入された（非特許文献１）。基地局から２５６ＱＡＭの使用が設定された端末装置は、上記の６４ＱＡＭまでが規定されたＣＱＩテーブルとＭＣＳテーブルの代わりに、２５６ＱＡＭまでがサポートされたＣＱＩテーブルとＭＣＳテーブルを使用する。２５６
ＱＡＭを用いることで、さらに高いスループットを実現することが可能となる。
【０００７】
ＬＴＥ  Ｒｅｌ−１４では、ＭＵＳＴ（Multi-User Superposition Transmission）の
検討が行われている（非特許文献）。ＭＵＳＴでは、基地局装置は、２つの端末装置宛ての信号を異なる送信電力比で加算し、加算された信号を２つの端末装置に送信する。このとき、基地局から遠く、受信品質の低い端末装置（遠方端末装置）と基地局から近く受信品質の高い端末装置（近傍端末装置）をペアにし、遠方端末装置に大きい電力を割り当て、近傍端末装置に残りの電力を割り当てる。遠方端末装置は、雑音およびセル間干渉等が支配的であるため、信号の中に近傍端末装置宛ての信号が含まれていても、受信品質の劣化に抑えることができる。
【０００８】
一方、近傍端末装置にとっては、遠方端末装置宛ての信号が大きな干渉となるが、遠方端末装置宛ての信号を先にキャンセルあるいは抑圧することで、自局宛ての信号を復調することができる。このように、基地局が複数端末装置宛ての信号を多重して送信し、受信機である端末装置で分離することで、同一周波数かつ同一時間で複数の端末装置が通信を行うことができる。この結果、各端末装置の通信機会を増加させることができるため、スループットを増加させることができる。
【０００９】
同一周波数かつ同一時間で複数の端末装置が通信を行うことができる技術として、ＭＵ−ＭＩＭＯ（Multi-User Multiple Input Multiple Output）が存在するが、ＭＵ−ＭＩ
ＭＯでは異なるビーム（あるいは異なる送信アンテナ）を用いて複数の端末装置が通信する。一方ＭＵＳＴでは、同一ビーム（あるいは送信アンテナ）を用いても、複数の端末装置が通信することができる。
【先行技術文献】
【非特許文献】
【００１０】
【非特許文献１】“ Physical layer procedures (Release 12)”３ＧＰＰ  ＴＳ  ３６．２１３  ｖ１２．５．０（２０１５−０３）
【００１１】
【非特許文献２】“Study on Downlink Multiuser Superposition Transmission(MUST) for LTE (Release 13)”  ３ＧＰＰ  ＴＲ  ３６．８５９  ｖ１３．０．０（２０１５−１２）
【発明の概要】
【発明が解決しようとする課題】
【００１２】
２５６ＱＡＭで送信された信号を正しく復調および復号するには、高い受信電力が必要であるため、極めて基地局装置から近い端末装置に対して適用される可能性が高い。一方、ＭＵＳＴでは、送信電力のほとんどが遠方端末装置に割り当てられ、近傍端末に割り当てられる電力は少なくとも半分より少なく、場合によっては1/10以下になることも考えられる。このため、ＭＵＳＴが適用される場合、２５６ＱＡＭを適用するための送信電力が不足する。したがって、２５６ＱＡＭをサポートするＣＱＩテーブルおよびＭＣＳテーブルの使用が設定されている場合において、ＭＣＳの制御が制限される。この結果、ＭＵＳＴによるゲインが減少することが考えられる。
【００１３】
また、２５６ＱＡＭをサポートしているＣＱＩテーブルおよびＭＣＳテーブルは、２５６ＱＡＭに加え、ＱＰＳＫ、１６ＱＡＭ、６４ＱＡＭもサポートしているため、ＱＰＳＫ、１６ＱＡＭ及び６４ＱＡＭをサポートするＣＱＩテーブルおよびＭＣＳテーブルと比較して粒度が粗い。よって、２５６ＱＡＭをサポートしているＣＱＩテーブルおよびＭＣＳテーブルは、精度の高い制御を行うことができない。２５６ＱＡＭをサポートするＣＱＩテーブルおよびＭＣＳテーブルの使用が設定されている場合において、ＭＵＳＴが適用さ
れた場合、精度の低いＭＣＳテーブルでの制御を強いられることになる。この結果、ＭＵＳＴによるゲインが減少することが考えらえる。
【００１４】
本発明は、上記問題に鑑みてなされたものであり、その目的は、２５６ＱＡＭをサポートするＣＱＩテーブルおよびＭＣＳテーブルが設定された場合において、効率的にＭＵＳＴを適用することができる基地局装置、端末装置及びその通信方法を提供することにある。
【課題を解決するための手段】
【００１５】
上述した課題を解決するために本発明に係る基地局および端末の各構成は、次の通りである。
【００１６】
（１）上記課題を解決するために、本発明の一様態にかかる基地局装置は、第１の端末装置に高い送信電力を割り当て、第２の端末装置に低い送信電力を割り当ててＭＵＳＴによる信号多重を行う基地局装置であって、２５６ＱＡＭを含むＭＣＳインデックスを含む第１のテーブルと２５６ＱＡＭを含まない第２のテーブルを保持し、ＭＵＳＴを行う場合には、第２の端末装置の下りリンクデータに対して、２５６ＱＡＭを含まないＭＣＳを設定するＭＣＳ設定部と、設定された前記ＭＣＳインデックスに基づいて生成した第２の端末装置の下りリンクデータと前記第１の端末装置の下りリンクデータを、ＭＵＳＴを用いて生成するＰＤＳＣＨ生成部と、を備える。
（２）また、本発明の一様態は、前記ＭＣＳ設定部は、ＭＵＳＴを行う場合、第２の端末装置の下りリンクデータに対して、第１のテーブルを構成するＭＣＳインデックスに基づいてＭＣＳを設定する。
（３）また、本発明の一様態は、前記ＭＣＳ設定部は、ＭＵＳＴを行う場合、第２の端末装置の下りリンクデータに対して、第２のテーブルを構成するＭＣＳインデックスに基づいてＭＣＳを設定する。
（４）また、本発明の一様態は、他の端末装置に高い送信電力を割り当てて信号多重を行った信号、もしくは信号多重が行われていない信号を受信する端末装置であって、２５６ＱＡＭを含むＭＣＳインデックスを含む第１のテーブルと２５６ＱＡＭを含まない第２のテーブルのいずれかを設定するＲＲＣ設定部と、ＭＣＳインデックスに基づいて信号に用いられているＭＣＳを判定する制御情報抽出部と、前記制御情報抽出部で判定したＭＣＳが２５６ＱＡＭであった場合、信号多重が行われていない信号を受信したとして復調処理を行うＰＤＳＣＨ復調部と、を備える。
（５）また、本発明の一様態は、第１の端末装置に高い送信電力を割り当て、第２の端末装置に低い送信電力を割り当ててＭＵＳＴによる信号多重を行う通信方法であって、  ＭＵＳＴを行う場合には、第２の端末装置の下りリンクデータに対して、２５６ＱＡＭを含まないＭＣＳを設定するステップと、設定された前記ＭＣＳインデックスに基づいて生成した第２の端末装置の下りリンクデータと前記第１の端末装置の下りリンクデータを、ＭＵＳＴを用いて生成するステップと、を備える。
【発明の効果】
【００１７】
この発明によれば、２５６ＱＡＭをサポートするＣＱＩテーブルおよびＭＣＳテーブルが設定された場合に、効率的にＭＵＳＴを適用することができる。
【図面の簡単な説明】
【００１８】
【図１】本実施形態における無線通信システムの構成を示す概略ブロック図である。
【図２】本実施形態における６４ＱＡＭモードのＭＣＳテーブルの例を示す図である。
【図３】本実施形態における６４ＱＡＭモードのＣＱＩテーブルの例を示す図である。
【図４】本実施形態における２５６ＱＡＭモードのＭＣＳテーブルの例を示す図である。
【図５】本実施形態における２５６ＱＡＭモードのＣＱＩテーブルの例を示す図である。
【図６】本実施形態における基地局装置の構成例を示す図である。
【図７】本実施形態におけるスケジューリング部の構成例を示す図である。
【図８】本実施形態における端末装置の構成例を示す図である。
【発明を実施するための形態】
【００１９】
本明細書で述べられる技術は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、シングルキャリアＦＤＭＡ（ＳＣ−ＦＤＭＡ）システム、及びその他のシステム等の、種々の無線通信システムにおいて使用され得る。用語「システム」及び「ネットワーク」は、しばしば同義的に使用され得る。ＣＤＭＡシステムは、ユニバーサル地上波無線アクセス（ＵＴＲＡ）やｃｄｍａ２０００（登録商標）等のような無線技術（規格）を実装し得る。ＵＴＲＡは、広帯域ＣＤＭＡ（ＷＣＤＭＡ（登録商標））及びＣＤＭＡのその他の改良型を含む。ｃｄｍａ２０００は、ＩＳ−２０００、ＩＳ−９５、及びＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ‐ＯＦＤＭ（登録商標）などのような無線技術を実装し得る。３ＧＰＰ ＬＴＥ（Ｌｏｎｇ  Ｔｅｒｍ  Ｅｖｏｌｕｔｉｏｎ）は、ダウンリンク上でＯＦＤ
ＭＡを、アップリンク上でＳＣ−ＦＤＭＡを採用するＥ−ＵＴＲＡである。ＬＴＥ−Ａは、ＬＴＥを改良したシステム、無線技術、規格である。ＵＴＲＡ、Ｅ−ＵＴＲＡ、ＬＴＥ、ＬＴＥ−Ａ及びＧＳＭ（登録商標）は、第３世代パートナーシッププロジェクト（３ＧＰＰ）と名付けられた機関からのドキュメントで説明されている。ｃｄｍａ２０００及びＵＭＢは、第３世代パートナーシッププロジェクト２（３ＧＰＰ２）と名付けられた機関からのドキュメントで説明されている。明確さのために、本技術のある側面は、ＬＴＥ、ＬＴＥ−Ａにおけるデータ通信について以下では述べられ、ＬＴＥ用語、ＬＴＥ−Ａ用語は、以下の記述の多くで用いられる。
【００２０】
以下、本発明に係る好適な実施形態を添付の図面を参照して詳細に説明する。添付の図面と共に以下で開示する詳細な説明は、本発明の例示的な実施形態を説明するためのものであって、本発明が実施され得る唯一の実施形態を示すためのものではない。以下の詳細な説明は、本発明の完全な理解を提供するために具体的な細部事項を含む。しかし、当業者であれば、本発明がこのような具体的な細部事項がなくても実施され得ることが分かる。例えば、以下の詳細な説明は、移動通信システムが３ＧＰＰ  ＬＴＥ、ＬＴＥ―Ａシステムである場合を仮定して具体的に説明するが、３ＧＰＰ  ＬＴＥ、ＬＴＥ―Ａの特有の事項を除いては、他の任意の移動通信システムにも適用可能である。また、後述される用語は、本発明における機能を考慮して定義された用語で、ユーザ、運用者の意図または慣例などによって変わり得る。したがって、その用語は、本明細書全般にわたった内容に基づいて定義されるべきである。
【００２１】
実施形態を説明するにおいて本発明が属する技術分野に十分知られており、本発明と直接的に関係のない技術内容については説明を省略する。これは、不要な説明を省略することにより、本発明の要旨を不明瞭にせず、より明確に伝達するためである。よって、いくつかの場合、本発明の概念が曖昧になることを避けるために公知の構造及び装置は省略したり、各構造及び装置の核心機能を中心にしたブロック図の形式で図示したりすることが
できる。本発明の要旨を不明瞭にせず、より明確に伝達するため、図面において一部の構成要素は、誇張されたり省略されたり概略的に示される。また、各構成要素の大きさは、実際の大きさを反映するものではない。また、本明細書全体で同一の構成要素については同一の図面符号を使用して説明する。
【００２２】
明細書全体において、一つの部分が一つの構成要素を「含む」とするとき、これは、特別に反対の記載がない限り、他の構成要素を除外するのではなく、他の構成要素を更に含むことができることを意味する。さらに、詳細な説明または特許請求の範囲のいずれかで使用される“または”という用語は、排他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。また、明細書に記載された「…部」、「…器」、「モジュール」などの用語は、少なくとも一つの機能や動作を処理する単位を意味し、これは、ハードウェアやソフトウェア又はハードウェア及びソフトウェアの組合せで具現することができる。
【００２３】
併せて、以下の説明において、端末装置は、ユーザ装置（User Equipment: UE）、移動局（Mobile Station: MS, Mobile Terminal: MT）、移動局装置、移動端末、加入者ユニ
ット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザ端機器を総称するものとする。また、端末装置は、セルラ電話機、コードレス電話機、セッション開始プロトコル（SIP）電話機、スマートフォ
ン、ワイヤレスローカルループ（WLL）局、パーソナルデジタルアシスタント（PDA）、タブレット、ラップトップ、ハンドヘルド通信デバイス、ハンドヘルドコンピューティングデバイス、衛星ラジオ、ワイヤレスモデムカード、ルーター、および／または、ワイヤレスシステムを通して通信するための別の処理デバイスとすることができる。また、基地局装置は、ノードＢ（NodeB）、強化ノードＢ（eNodeB）、基地局、アクセスポイント（Access Point: AP）などの端末と通信するネットワーク端の任意のノードを総称するものと
する。なお、基地局装置は、ＲＲＨ（Remote Radio Head、基地局装置より小型の屋外型
の無線部を有する装置、Remote Radio Unit: RRUとも称す）（リモートアンテナ、分散アンテナとも呼称する。）を含むものとする。ＲＲＨは、基地局装置の特殊な形態とも言える。例えば、ＲＲＨは信号処理部のみを有し、他の基地局装置によってＲＲＨで用いられるパラメータの設定、スケジューリングの決定などが行われる基地局装置と言うことができる。
【００２４】
本発明の端末装置は、下記で説明する各種処理に関連した命令を保持するメモリと、前記メモリに結合され、前記メモリ中に保持された前記命令を実行するように構成された、プロセッサを備えた構成でもよい。本発明の基地局装置は、下記で説明する各種処理に関連した命令を保持するメモリと、前記メモリに結合され、前記メモリ中に保持された前記命令を実行するように構成された、プロセッサを備えた構成でもよい。
【００２５】
以下、本発明の実施形態について、図面を参照して詳細に説明する。下記でＣＳＩ（Channel State Information）とは、ランク数を示すＲＩ（Rank Indicator）と、プリコー
ディング行列のインデックスを示すＰＭＩ（Precoding Matrix Indicator）と、変調方式と符号化率の組み合わせを示すＣＱＩ（Channel Quality Indicator）とから構成される
。
［第１の実施形態］
【００２６】
図１は、本実施形態における無線通信システムの構成の一例を示す。該システムは、基地局装置１０１、端末装置１０２および端末装置１０３から構成される。図１において、端末装置１０２は基地局装置から近く、受信品質が高いものとし、端末装置１０３は基地局装置から遠く、受信品質が端末装置１０２と比較して低いものとする。以降、便宜上、端末装置１０２を近傍端末装置、端末装置１０２を遠方端末装置と呼ぶ。各装置に構成されるアンテナポート数は１であっても複数であってもよい。ここで、アンテナポートとは、物理的なアンテナではなく、通信を行う装置が認識できる論理的なアンテナを指す。
【００２７】
本実施形態において、基地局装置１０１は、端末装置１０２および端末装置１０３に対して、６４ＱＡＭモード、または２５６ＱＡＭモードの設定を行う。６４ＱＡＭモードとは、ＰＤＳＣＨに適用されるＭＣＳテーブルが、ＱＰＳＫ、１６ＱＡＭ、６４ＱＡＭから構成されるＭＣＳテーブル（図２）であり、フィードバックに用いられるＣＱＩテーブルが、ＱＰＳＫ、１６ＱＡＭ、６４ＱＡＭから構成されるＣＱＩテーブル（図３）であることを意味する。２５６ＱＡＭモードとは、ＰＤＳＣＨに適用されるＭＣＳテーブルが、ＱＰＳＫ、１６ＱＡＭ、６４ＱＡＭ、２５６ＱＡＭから構成されるＭＣＳテーブル（図４）であり、フィードバックに用いられるＣＱＩテーブルが、ＱＰＳＫ、１６ＱＡＭ、６４ＱＡＭ、２５６ＱＡＭから構成されるＣＱＩテーブル（図５）であることを意味する。各モード設定は、ＲＲＣ等で、基地局装置から端末装置にシグナリングされる。ＬＴＥにおいて、無線フレームは、複数のサブフレームからなる。本実施形態に係る無線通信システムは、無線フレームを複数のサブフレームセットに分類し、サブフレームセット毎に、６４ＱＡＭモード又は２５６ＱＡＭモードを設定することも可能である。
【００２８】
端末装置１０２および端末装置１０３が送信した信号は、チャネルを経由し、基地局装置１０１で受信される。図６に、基地局装置１０１の構成例を示す。なお、図６では、本発明の実施形態の説明に必要となるブロック（処理部）のみを示している。端末装置１０２および端末装置１０３が送信した信号は、受信アンテナ６０１を介してＵＬ受信部６０２で受信される。受信アンテナ６０１は、複数のアンテナから構成され、受信ダイバーシチやアダプティブアレーアンテナ等の技術が適用されてもよい。ＵＬ受信部６０２は、ダウンコンバージョンやフーリエ変換等の処理を行う。ＵＬ受信部６０２の出力は、制御情報抽出部６０３に入力される。制御情報抽出部６０３は、端末装置１０２、１０３が送信した制御情報を抽出する。ここで、制御情報は制御情報専用のチャネルであるＰＵＣＣＨ（Physical Uplink Control CHannel）を用いて送信された制御情報、または情報データ
送信用のチャネルであるＰＵＳＣＨ（Physical Uplink Shared CHannel）を用いて送信された制御情報である。制御情報抽出部６０３で抽出された制御情報は、ＣＱＩ抽出部６０４およびＲＲＣ抽出部６０５に入力される。ＲＲＣ抽出部６０５では、制御情報の中から各端末装置へのＲＲＣの設定が各端末装置で設定されたという情報を抽出する。
【００２９】
ＣＱＩ抽出部６０４では、制御情報抽出部６０３から入力された制御情報の中から、端末装置１０２および端末装置１０３が送信したＣＱＩインデックスを抽出する。端末装置１０２および端末装置１０３が６４ＱＡＭモードでＣＱＩ（単にＣＱＩと記載する場合は、ワイドバンドＣＱＩおよびサブバンドＣＱＩ、あるいはどちらかのＣＱＩを意味する）を送信した場合と、端末装置１０２および端末装置１０３が２５６ＱＡＭモードでＣＱＩを送信した場合とで、各ＣＱＩインデックスが示す情報（変調方式と符号化率の組み合わせ）が異なる。ＣＱＩ抽出部６０４は、端末装置１０２あるいは端末装置１０３が６４ＱＡＭモードでＣＱＩを送信したと判断した場合、図３のＣＱＩテーブルに基づいて、端末装置１０２がＣＱＩインデックスを通知したものと解釈する。ＣＱＩ抽出部６０４は、端末装置１０２あるいは端末装置１０３が２５６ＱＡＭモードでＣＱＩを送信したと判断し
た場合、図５のＣＱＩテーブルによって端末装置１０２あるいは端末装置１０３がＣＱＩインデックスを通知したものと基地局装置１０１は解釈する。
【００３０】
ＣＱＩ抽出部６０４で抽出された端末装置１０２および端末装置１０３のＣＱＩは、スケジューリング部６０６に入力される。スケジューリング部６０６では、端末装置１０２および端末装置１０３のＣＱＩを用いて、端末装置１０２および端末装置１０３へのリソース割り当て、ＭＣＳ、及びＭＵＳＴの適用あるいは不適用を決定する。ダウンリンクでＭＩＭＯ（Multiple Input Multiple Output）伝送が行われる場合、ＣＱＩに加えて、端末装置１０２および端末装置１０３から通知されるＲＩ（Rank Indicator）やＰＭＩ（Precoding Matrix Indicator）を考慮して、スケジューリングが行われる。
【００３１】
図７は、スケジューリング部２０６の構成例を示す図である。図７では、ワイドバンドＣＱＩを用いたワイドバンドスケジューリング（スケジューリング対象となるサブフレームにおいて、１つの端末装置にすべてのリソースを割り当てるスケジューリング方法）が適用される場合で説明を行うが、サブバンドＣＱＩを用いたスケジューリング等も適用できる。ＣＱＩ抽出部６０４から入力されたＣＱＩ情報は、ＭＣＳ設定部７０１−１およびＭＣＳ設定部７０１−２に入力される。ＭＣＳ設定部７０１−１では、入力されたＣＱＩ情報に基づいて、ＭＵＳＴを適用しない場合に各端末装置が用いるＭＣＳを設定する。ＭＣＳ設定部７０１−２では、ＭＵＳＴを適用する場合に各端末装置が用いるＭＣＳを設定する。ＭＣＳ設定の際、ＭＵＳＴが適用される端末装置でどのような送信電力比で多重が行われるかは、送信電力比設定部７０２から入力される。なお、送信電力比設定部７０２が複数の送信電力比を持つ場合は、ＭＣＳ設定部７０１−２は、複数の送信電力比のすべて、あるいは一部に対して、ＭＣＳの設定を行ってもよい。
【００３２】
ＭＣＳ設定部７０１−１およびＭＣＳ設定部７０１−２で設定されたＭＣＳはそれぞれ、メトリック算出部７０３−１およびメトリック値算出部７０３−２に入力される。メトリック算出部７０３−１およびメトリック値算出部７０３−２は、ＭＣＳ設定部７０１−１およびＭＣＳ設定部７０１−２から入力されたＭＣＳを用いて、メトリックを算出する。なお、メトリックは、ＭＣＳの他、今までの各端末装置のスループットや待ち時間等を考慮して算出されてもよい。メトリック算出部７０３−１は端末装置毎のメトリックを算出し、メトリック算出部７０３−２は端末装置の組み合わせ毎および送信電力比毎のメトリックを算出する。メトリック算出部７０３−１およびメトリック算出部７０３−２が出力する各端末装置のメトリックおよび組み合わせ毎のメトリックは、伝送方式選択部７０４に入力される。伝送方式選択部７０４は、入力されたメトリックの中から、最も値の大きなものを選択する。伝送方式選択部７０４は、選択した値に対応するリソース割り当て情報、ＭＣＳ、送信電力比を出力する。
【００３３】
スケジューリング部６０６が出力する信号は、ＰＤＳＣＨ生成部６０８に入力されるとともに、制御情報生成部６０７に入力される。制御情報生成部６０７は、入力されたＭＣＳ、送信電力比情報、リソース割り当て情報を、他の制御情報とともにＤＣＩフォーマットとして信号を生成する。なお、送信電力比情報は、必ずしもＤＣＩフォーマットに組み込まれる必要はなく、端末装置が受信信号波形によりブラインドで検出ことを前提に、送信電力比情報を通知しないとしてもよい。送信電力比は、固定値であってもよいし、ＲＲＣシグナリング等を用いることによって準静的に変更されてもよい。送信電力比は、総送信電力に対する比のみが通知されていてもよい。また、１００％あるいは０％も送信電力比に含まれる。
【００３４】
ＰＤＳＣＨ生成部６０８は、スケジューリング部６０６から入力されるＭＣＳ、送信電力比情報、リソース割り当て情報を用いて、端末装置１０２および端末装置１０３宛の情報ビットに対して符号化および変調を行う。ＰＤＳＣＨ生成部６０８は、ＭＵＳＴが適用
される場合、入力される送信電力比に基づいて各信号を加算する。加算された信号は、ＤＬ送信部６０９に入力される。ＲＲＣ情報生成部６１０に端末装置１０２および端末装置１０３に通知すべきＲＲＣ情報が存在する場合、ＰＤＳＣＨ生成部２０８に該ＲＲＣ情報が入力され、該端末装置１０２および端末装置１０３宛のデータ信号としてＰＤＳＣＨに配置されて送信される。該ＲＲＣ情報とは、ＲＲＣシグナリングとして通知される情報であり、変調モード（２５６ＱＡＭモードと６４ＱＡＭモード）の設定情報である変調モード設定や、ＣＳＩ要求領域の値に対応するサービングセルセット（複数のセルの集合）もしくは特定のサービングセルの構成であるＣＳＩ要求設定等が含まれる。
【００３５】
ＤＬ送信部６０９は、ＰＤＳＣＨ生成部６０８と制御情報生成部６０７から入力される信号を多重した後、逆離散フーリエ変換、帯域制限フィルタリング、アップコンバージョン等の処理を行う。ＤＬ送信部６０９が出力する信号は送信アンテナ６１１を介して端末装置１０２および端末装置１０３に送信される。
【００３６】
次に、端末装置１０２（つまり近傍端末装置）の変調方式のモードが、６４ＱＡＭモード、あるいは２５６ＱＡＭモードである場合について説明する。６４ＱＡＭモードの場合、ＣＱＩ抽出部６０４は、端末装置１０２が図３のＣＱＩテーブルに基づいてＣＱＩインデックスを通知したと解釈して、端末装置１０２の受信品質を算出する。さらに、スケジューリング部６０６は、図２のＭＣＳテーブルに基づいて、ＭＣＳを選択する。一方、２５６ＱＡＭモードの場合、ＣＱＩ抽出部６０４は、端末装置１０２が図５のＣＱＩテーブルに基づいてＣＱＩインデックスを通知したと解釈して、端末装置１０２の受信品質を算出する。
【００３７】
ここで、スケジューリング部６０６において、図５のＭＣＳテーブルに基づいて、ＭＣＳを選択することを考える。２５６ＱＡＭモードにおいてＭＵＳＴが適用された場合、送信電力の一部のみが端末装置１０２に割り当てられるため、高い受信品質を必要とする２５６ＱＡＭが選ばれる確率が低い。したがって、図４のＭＣＳテーブルの多くの要素が使われないことになる。図４のＭＣＳテーブルのＱＰＳＫや１６ＱＡＭの要素数は、図２より少ないため、最適なＭＣＳを選択することができない。そこで、本実施形態では、ＭＵＳＴが適用される場合、２５６ＱＡＭが設定されていても、２５６ＱＡＭをサポートしない、図２のＭＣＳテーブルに基づいてＭＣＳを選択し、端末装置１０２に通知するＭＣＳインデックスも図２のＭＣＳテーブルに基づいて決定する。これにより、送信電力を削減されることによって、２５６ＱＡＭや６４ＱＡＭが選択されなくなったＭＵＳＴ適用端末装置に対して精度の高い制御を行うことができる。
【００３８】
端末装置１０２はＭＵＳＴが適用されているかを前述の送信電力比情報によって通知されるため、端末装置１０２は送信電力比情報を受信することで、ＭＵＳＴが適用されているか適用されていないのかを認識することができる。ＭＵＳＴが適用されている場合、端末装置は、ＲＲＣで２５６ＱＡＭモードが設定されていても６４ＱＡＭモードが設定されていても、６４ＱＡＭモードのＭＣＳテーブル、つまり図２のＭＣＳテーブルに基づいてＭＣＳインデックスが通知されていると判断し、復調および復号を行う。なお、送信電力比情報が基地局装置１０１から通知されず、ＭＵＳＴが適用されていることを受信信号波形（受信信号点）からブラインドで検出する場合は、ブラインド検出によってＭＵＳＴが適用されているか否かを把握することを必要とする端末装置１０２にのみ、設定されているモードによらず図２のＭＣＳテーブルを適用する仕組みを適用する。つまり、小さな送信電力比が割り当てられた端末装置１０２は、ＭＵＳＴが適用されていることを認識し、受信信号から大きな電力が割り当てられた端末装置１０３宛ての信号を除去する必要があるため、ＭＵＳＴ適用時には設定されているモードによらず図２のＭＣＳテーブルを適用する仕組みを適用する。一方、大きな送信電力比が割り当てられた端末装置１０３は、ＭＵＳＴが適用されていることを認識しなくても、信号を正しく検出することができるため
、ＭＵＳＴが適用されているか否かを必ずしも把握する必要がない。したがって、端末装置１０３は、設定されているモードに応じたＭＣＳテーブルを適用する。なお、端末装置１０３が、ＭＵＳＴが適用されているかどうかを認識できる場合は、遠方端末装置である端末装置１０３にも同様の仕組み、つまりＭＵＳＴ適用時には設定されている変調モード（６４ＱＡＭモードあるいは２５６ＱＡＭモード）によらず図２のＭＣＳテーブルを適用する仕組みを適用してもよい。
【００３９】
基地局装置１０１が送信した信号は、チャネルを経由し、端末装置１０２および端末装置１０３で受信される。図８に端末装置１０２の構成例を示す。端末装置１０３も同様の構成である。受信アンテナ８００で受信された信号はＤＬ受信部８０１に入力され、ダウンコンバージョン、帯域制限フィルタリング、離散フーリエ変換等の処理を適用される。ＤＬ受信部８０１から出力された信号は、参照信号抽出部８０２に入力される。参照信号抽出部８０２は、基地局装置１０１が送信するＣＲＳ（Cell-specific Reference Signal）、ＣＳＩ−ＲＳ（Channel State Information Reference Signal）、ＤＭＲＳ（UE-specific Reference Signal、Demodulation Reference Signal）等の参照信号を抽出しチャ
ネル推定部８０６に入力する。チャネル推定部８０６は、入力された参照信号を用いて基地局装置１０１と端末装置１０２との間のチャネル状態（伝搬路状態）を推定する。推定されたチャネル状態の推定値は、ＣＱＩ生成部８０７に入力される。なお、図８では示していないが、推定されたチャネル状態の推定値は制御情報抽出部８０３とＰＤＳＣＨ復調部８０４にも入力され、ＰＤＣＣＨやＰＤＳＣＨに配置された信号の復調に用いられる。
【００４０】
参照信号抽出部８０２において抽出された参照信号以外の信号は、制御情報抽出部８０３に入力される。例えば、ＰＤＣＣＨに配置された信号が、制御情報抽出部８０３に入力される。
【００４１】
制御情報抽出部８０３は、受信信号の中から制御情報（ダウンリンク制御情報、ＤＣＩフォーマット）に関する情報が送信された無線リソースを抽出する。制御情報抽出部８０３は、抽出した無線リソースに対してブラインドデコーディングを適用する。このとき、端末装置１０２は、ＣＲＣの暗号解除（デスクランブリング）をＣ−ＲＮＴＩおよびＳＰＳ  Ｃ−ＲＮＴＩにより行い、正しく復号できた方を、送信された制御情報とみなす。復号された制御情報のうち、リソース割り当てに関する情報（リソース割り当て情報）と、ＰＤＳＣＨのＭＣＳインデックスに関する情報、送信電力比情報および、Ｃ−ＲＮＴＩで復号できた制御情報であるかＳＰＳ  Ｃ−ＲＮＴＩで復号できた制御情報であるかの情報（以降、Ｃ−ＲＮＴＩ情報と呼ぶ）は、ＰＤＳＣＨ復調部８０４に入力される。なお、制御情報中に送信電力比情報が含まれない場合、端末装置は受信信号波形から送信電力比情報を推定（ブラインドで検出）することができる。
【００４２】
制御情報抽出部８０３の出力はＰＤＳＣＨ復調部８０４に入力される。例えば、ＰＤＳＣＨに配置された信号がＰＤＳＣＨ復調部８０４に入力される。ＰＤＳＣＨ復調部８０４では、制御情報抽出部８０３から入力されるリソース割り当て情報とＭＣＳ情報（ＭＣＳインデックス、ＭＣＳインデックスに関する情報を用いて、ＰＤＳＣＨの復調を行う。このとき、ＰＤＳＣＨ復調部８０４は、制御情報抽出部から入力される送信電力比情報によって、ＭＵＳＴが適用されていないことを把握した場合、ＲＲＣ設定部８０８から入力される変調モード設定（６４ＱＡＭモード、２５６ＱＡＭモード）に基づいて参照するＭＣＳテーブルを選択し、選択されたＭＣＳテーブルと通知されたＭＣＳインデックスからＭＣＳを判定し、判定したＭＣＳを復調に用いる。例えば、ＰＤＳＣＨ復調部８０４は、ＲＲＣ設定部において６４ＱＡＭモードの設定を行っている場合、図２のＭＣＳテーブルに基づいてＭＣＳインデックスからＭＣＳの判定を行う。ＰＤＳＣＨ復調部８０４は、２５６ＱＡＭモードが設定されている場合、図４のＭＣＳテーブルに基づいてＭＣＳインデックスからＭＣＳの判定を行う。
【００４３】
一方、制御情報抽出部８０３から入力される送信電力比情報によって、ＭＵＳＴが適用されていることを把握した場合、ＰＤＳＣＨ復調部８０４は、６４ＱＡＭモード、２５６ＱＡＭモードいずれのモードが設定されていても、図２の２５６ＱＡＭをサポートしていないＭＣＳテーブルに基づいてＭＣＳインデックスからＭＣＳの判定を行う。なお、図２のＭＣＳテーブルと図４のＭＣＳテーブルのどちらを用いるかは、ＭＵＳＴを行っているか否かではなく、送信電力比が所定の値より大きいか、もしくは小さいかによって切り替えてもよい。
【００４４】
このように、本実施形態におけるＰＤＳＣＨ復調部８０４では、ＭＵＳＴが適用されているか否かという情報に応じて、ＲＲＣシグナリングによって設定されたＭＣＳテーブルを用いるか、２５６ＱＡＭをサポートしないＭＣＳテーブルを用いるかを切り替える。つまり、ＭＵＳＴが適用されているという情報が入力された場合、ＲＲＣシグナリングの設定（変調モードの設定）に関わらず、２５６ＱＡＭをサポートしないＭＣＳテーブルによってＭＣＳを判定する。一方、ＭＵＳＴが適用されていないという情報が入力された場合、ＲＲＣシグナリングの設定（変調モードの設定）に対応したＭＣＳテーブルを用いる。この結果、ＭＵＳＴが適用されていないサブフレームでは、２５６ＱＡＭモードが適用されている端末装置は２５６ＱＡＭを用いた高速伝送が可能となり、ＭＵＳＴが適用されているサブフレームでは、２５６ＱＡＭを受信することができないにも関わらず、粒度の低いＭＣＳテーブルを用いることで、伝送効率が低下することを避けることができる。また、２５６ＱＡＭとＭＵＳＴの併用がないことを前提に、基地局装置はサブフレーム単位での２５６ＱＡＭモードとＭＵＳＴの適用可否を共通の制御情報として通知しても良い。
【００４５】
以上のように、本発明の実施形態により、ＭＵＳＴが適用されていないサブフレームでは２５６ＱＡＭを適用し、ＭＵＳＴが適用されているサブフレームでは２５６ＱＡＭを含まないＭＣＳテーブルによる精度の高い制御を行うことができる。また本実施形態では、ＬＴＥ  Ｒｅｌ−１２で仕様化されている図２と図４のＭＣＳテーブルを切り替える例を示したが、ＭＵＳＴを適用時にはＭＵＳＴに最適化されたＭＣＳテーブルを用いてもよい。ＭＵＳＴに最適化されたＭＣＳテーブルとは、ＱＰＳＫと１６ＱＡＭのみでＭＣＳテーブルが構成されていたり、６４ＱＡＭの要素数が図２のＭＣＳテーブルと比較して少ない等である。
【００４６】
ＰＤＳＣＨ復調部８０４の出力は、ＲＲＣ抽出部８０５に入力される。ＲＲＣ抽出部８０５では、入力された信号にＲＲＣシグナリングが含まれる場合、ＲＲＣシグナリングを抽出し、抽出したＲＲＣシグナリングをＲＲＣ設定部８０８に入力する。ＲＲＣ設定部８０８は、ＲＲＣシグナリングによって基地局装置１０１が伝送した制御情報を用いて端末装置１０２の各処理部を制御する。つまり、ＲＲＣ設定部８０８は、制御パラメータを設定する処理を行う。例えば、ＲＲＣ設定部８０８は、ＲＲＣシグナリングによって通知されたＭＵＳＴモード設定に基づき、ＭＵＳＴを適用することが可能なサブフレーム（サブフレームセット）とＭＵＳＴを適用しないサブフレーム（サブフレームセット）を判断する。
【００４７】
ＣＱＩ生成部８０７は、チャネル推定部８０６から入力されるチャネル推定値とＲＲＣ設定部８０８から入力される変調モード設定（６４ＱＡＭモードか２５６ＱＡＭモードかの設定）を用いて、ＣＱＩに関する情報（例えばＣＱＩインデックス）を生成する。ＣＱＩは、システム帯域全体のＣＱＩであるワイドバンドＣＱＩと、システム帯域を複数のサブバンドに分割した際のサブバンド毎のＣＱＩであるサブバンドＣＱＩを含む。ＣＱＩ生成部８０７は、ＭＵＳＴの設定によらず、入力された変調モード設定に基づき、ＣＱＩインデックスの生成に用いるＣＱＩテーブルを選択する。ＣＱＩ生成部８０７は、入力されたチャネル推定値に基づき、あるＣＱＩテーブルの何れかのＣＱＩインデックスを選択す
る。ＣＱＩ生成部８０７は、６４ＱＡＭモードが設定されたサブフレーム（ダウンリンクサブフレーム、サブフレームセット、ダウンリンクサブフレームセット）に対して、図３のＣＱＩテーブルによってチャネル推定値から得られるチャネル品質を量子化し、所定の誤り率となるＣＱＩインデックスを選択する。ＣＱＩ生成部８０７は、選択したＣＱＩインデックスをＰＵＣＣＨ生成部８０９、またはＰＵＳＣＨ生成部８１０に入力する。ＣＱＩ生成部８０７は、２５６ＱＡＭモードが設定されたサブフレーム（ダウンリンクサブフレーム、サブフレームセット、ダウンリンクサブフレームセット）に対しては、図５の２５６ＱＡＭを含むＣＱＩテーブルによってチャネル推定値から得られるチャネル品質を量子化し、所定の誤り率が得られるＣＱＩインデックスを選択する。ＣＱＩ生成部８０７は、選択したＣＱＩインデックスをＰＵＣＣＨ生成部８０９、またはＰＵＳＣＨ生成部８１０に入力する。ＣＳＩの通知は、周期的に通知する方法と非周期的に通知する方法がある。周期的ＣＳＩ（Periodic CSI、Ｐ−ＣＳＩ）の送信にはＰＵＣＣＨ、またはＰＵＳＣＨが用いられる。非周期的ＣＳＩの送信には、ＰＵＳＣＨが用いられる。
［第２の実施形態］
【００４８】
第１の実施形態では、当該サブフレームでＭＵＳＴが適用されている場合、２５６ＱＡＭを含むＭＣＳのテーブルではなく、２５６ＱＡＭを含まないＭＣＳのテーブルに基づいた制御を行うことを説明した。本実施形態では、ＭＵＳＴ適用時も２５６ＱＡＭを含むＭＣＳテーブルに基づいた制御を行った場合においても、効率的にＭＵＳＴを行う方法について説明を行う。
【００４９】
本実施形態の基地局構成は、第１の実施形態と同様であり、スケジューリング部６０６の構成が主に異なるため、スケジューリング部６０６での処理について図７を用いて説明を行う。ＭＣＳ設定部７０１−１は、２５６ＱＡＭモードが適用されている端末装置１０２に対して、図４を用いたＭＣＳテーブルに基づいてＭＣＳを決定する。ＭＣＳ設定部７０１−２は、２５６ＱＡＭモードが適用されている端末装置１０２に対して、図４を用いたＭＣＳテーブルに基づいてＭＣＳを決定するが、２５６ＱＡＭ、つまり図４のインデックス２０〜２７を使用しない。他の処理については第１の実施形態と同様である。ＭＣＳ設定部７０１−２に上記の制限を与えることで、スケジューリング部６０６は、２５６ＱＡＭ、つまり図２のＭＣＳテーブルのインデックス２０〜２７のＭＣＳの選択と、ＭＵＳＴの適用を同時に行わないことになる。
【００５０】
次に、端末装置１０２の処理について説明を行う。端末装置１０２の制御情報抽出部８０３は、ＭＣＳテーブルとして２５６ＱＡＭを含むＭＣＳテーブルの使用が設定されており、伝送に用いられている変調方式がＱＰＳＫから６４ＱＡＭ、つまりＭＣＳインデックスが０〜１９であった場合、ブラインド検出あるいはシグナリングによって、ＭＵＳＴの適用あるいは不適用を判断し、ＭＵＳＴの適用情報をＰＤＳＣＨ復調部８０４に入力する。一方、伝送に用いられている変調方式２５６ＱＡＭ、つまりＭＣＳインデックスが２０〜２７であった場合、端末装置１０２の制御情報抽出部８０３は、ブラインド検出を行わず、ＭＵＳＴが適用されていないという情報をＰＤＳＣＨ復調部８０４に入力する。
【００５１】
このように、２５６ＱＡＭを適用する場合、ＭＵＳＴを適用しないとすることで、ＭＣＳインデックスとして２５６ＱＡＭを用いるインデックスが通知された場合に、ブラインド検出を回避することができるため、端末の消費電力削減、複雑性の回避、検出誤りの低減に効果がある。
【００５２】
［第３の実施形態］
【００５３】
第１および第２の実施形態では、２５６ＱＡＭモードが設定されている場合において、ＭＵＳＴをどのように設定するかについて説明を行った。本実施形態では、２５６ＱＡＭ
モード設定時に、ＭＵＳＴが適用されないようにするために必要な処理について説明を行う。
【００５４】
本実施形態のスケジューリング部６０６において、ＭＣＳ設定部７０１−２は、２５６ＱＡＭモードが適用されている端末装置１０２に対して、適切なＭＣＳを設定しない。もしくは、メトリック算出部７０３−２は、ゼロや極めて低い値等を設定する。もしくは、伝送方式選択部７０４はＭＵＳＴを適用した候補を選択しないようにする。これにより、２５６ＱＡＭモードの端末装置１０２に対してはＭＵＳＴが適用されず、ＯＭＡ（Orthogonal Multiple Access）伝送のみを行うように設定することができる。ＭＵＳＴモードが適用されている端末装置１０２に対して、２５６ＱＡＭモードが設定されていても、ＭＣＳ設定部７０１−１およびＭＣＳ設定部７０１−２が、２５６ＱＡＭを含まない図４のＭＣＳテーブルによってＭＣＳを設定してもよい。なお、上記において制御情報生成部６０７は、参照したＭＣＳテーブルに基づいてＭＣＳインデックスを生成する。ＭＵＳＴモードとは、ＲＲＣによってＭＵＳＴが設定された状態、もしくはＭＵＳＴの適用が可能であることを端末装置１０２あるいは端末装置１０３が基地局装置１０１に通知した状態を指す。
【００５５】
ＬＴＥ  Ｒｅｌ−１２では、サブフレームセットごとに６４ＱＡＭモード用のＣＱＩテーブルと２５６ＱＡＭモード用のＣＱＩテーブルを設定することが可能である。しかしながらＭＣＳは、サブフレームセット毎の設定ができず、端末装置ごとの設定となっている。ＭＵＳＴの設定がサブフレームセットごとではなく端末装置毎であると、端末装置１０２はすべてのサブフレームでブラインド検出によりＭＵＳＴが適用されているか否かを計算する必要がある。そこで、本実施形態において、ＲＲＣ情報生成部６１０は、サブフレームセット毎にＭＵＳＴの設定を行うための制御情報を生成する。端末装置１０２のＲＲＣ抽出部８０３は、サブフレームセット毎のＭＵＳＴの設定に関する情報を抽出する。ＲＲＣ設定部８０８は、サブフレームセット毎にＭＵＳＴの設定を行う。制御情報抽出部８０３は、ＭＵＳＴが設定されていないサブフレームセットで、ブラインド検出によるＭＵＳＴの適用の判定を行うことを回避することができる。つまり、ＭＵＳＴが設定されていないサブフレームセットではブラインド検出を行う必要がなくなるため、端末装置の消費電力削減、複雑性の回避、検出誤りの低減に効果がある。また、サブフレームセット毎にＭＵＳＴモードを設定できるようにすることで、端末装置は、６４ＱＡＭモードでのＣＱＩレポートを行っているサブフレームセットでＭＵＳＴを適用し、２５６ＱＡＭモードでのＣＱＩレポートを行っているサブフレームセットでＭＵＳＴを不適用とすることができる。第１の実施形態と組み合わせることにより、ＭＵＳＴが設定されたサブフレームセットにおいて、端末装置は、６４ＱＡＭモードのＣＱＩレポート、６４ＱＡＭモードのＭＣＳテーブルによる伝送を行い、ＭＵＳＴが設定されていないサブフレームセットにおいて、２５６ＱＡＭモードのＣＱＩレポート、２５６ＱＡＭモードのＭＣＳテーブルによる伝送を行うことができる。
【００５６】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００５７】
尚、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシ
ステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【００５８】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５９】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００６０】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００６１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００６２】
本発明は、基地局装置や端末装置及びその通信方法に用いて好適である。
【符号の説明】
【００６３】
１０１・・・基地局装置、１０２、１０３・・・端末装置、６０１・・・受信アンテナ、６０２・・・ＵＬ受信部、６０３・・・制御情報抽出部、６０４・・・ＣＱＩ抽出部、６０５・・・ＲＲＣ抽出部、６０６・・・スケジューリング部、６０７・・・制御情報生成部、６０８・・・ＰＤＳＣＨ生成部、６０９・・・ＤＬ送信部、６１０・・・ＲＲＣ生成部、６１１・・・・・・送信アンテナ、７０１−１、７０１−２・・・ＭＣＳ設定部、７０２・・・送信電力比設定部、７０３−１、７０３−２・・・メトリック算出部、７０４
・・・伝送方式選択部、８００・・・受信アンテナ、８０１・・・ＤＬ受信部、８０２・・・参照信号抽出部、８０３・・・制御情報抽出部、８０４・・・ＰＤＳＣＨ復調部、８０５・・・ＲＲＣ抽出部、８０６・・・チャネル推定部、８０７・・・ＣＱＩ生成部、８０８・・・ＲＲＣ設定部、８０９・・・ＰＵＣＣＨ生成部、８１０・・・ＰＵＳＣＨ生成部、８１１・・・ＵＬ送信部、８１２・・・送信アンテナ、
【図１】
2019091964.tif 000003
【図２】
2019091964.tif 000004
【図３】
2019091964.tif 000005
【図４】
2019091964.tif 000006
【図５】
2019091964.tif 000007
【図６】
2019091964.tif 000008
【図７】
2019091964.tif 000009
【図８】
2019091964.tif 000010